Podtech/llm-jp-corpus-v4-ja_patent huggingface dataset:
(57)【要約】【課題】散歩帰りのペットの足を洗うことが出来る足洗い場であって、大型犬から小型犬まで均一な水の流れによって足洗の効率を上げる。【解決手段】    この発明の足洗い場（１００）は、広浅槽（１８）をもち均一な水の流れを作る散水溝（２０）とを備えている。【選択図】図１
2005218420.tif 000002
【特許請求の範囲】
【請求項１】
散水口から水が均一に散水されることを特徴とするペット用足洗い場。
【請求項２】
四方向から水が均一に散水されることを特徴とする請求項１に記載のペット用足洗い場。
【請求項３】
貯水部に水を給水するための給水管と、そこから給水される一時的に水をためる貯水部からなる前記貯水部持つことを特徴とする請求項１又は請求項２に記載のペット用足洗い場。
【請求項４】
水を給水するための給水管と、給水管にスリットを設けることによる散水方法を特徴とする請求項１又は請求項２に記載のペット用足洗い場。
【発明の詳細な説明】
【技術分野】
【０００１】この発明は、犬などのペットが足を洗う足洗い場に関する。
【背景技術】
【０００２】集合住宅における、いわゆる「ペット可マンション」では、ペットを散歩から帰ってきたときにペットの足を洗う場所もしくはペットの足を洗う設備（図１）をマンションの共用設備として持っている物がある。【０００３】従来のペット用足洗い場は、単に給水管に穴をあけ、等間隔で水を散水する方式（図５）なおかつ、一方向からの散水する方式であった。また、全体に水が行き渡る切れ目のない川のような自然な流れを作るための施工が出来なかった。
【発明の開示】
【発明が解決しようとする課題】
【０００４】従来の方式では図５の給水管（１０）に複数の穴をあけ、直接足洗い場に水を流していた。しかし穴の大きさの調整による均一な水の流れを作るのが難しかった（１１）。【０００５】また、全体に水が行き渡る切れ目のない川のような自然な水の流れを作るために、給水管の穴の間隔を狭め数を増やすことによる方法は穴の数に限界があった。【０００６】また、４方向から散水させるための現場施工は難しく均一な製品に仕上げるのが困難であった。
【課題を解決するための手段】
【０００７】図２はこの発明の給水部分の図である。一時的に水をためる貯水部（１）を作り、その水をあふれさせる方式にすることによって、全体に水が行き渡る切れ目のない川のような自然な水の流れ（５）を作ることが出来るようになった。【０００８】また、水があふれることを利用したおかげで、従来の、給水管に穴をあける調整の難しい現場施工をする必要がなくなり、４方向からの全体に水が行き渡る切れ目のない川のような自然な水の流れを作ることが出来るようになった。図４
【実施例】
【０００９】以下、この発明の実施の形態について説明する。
図１はこの発明の実施の形態例を示すものである。【００１０】このペット用足洗い場（１００）は、図１の示すように、排水溝（１２）を備えた浅広槽（１８）と、浅広槽に４方向から水の流れを作る散水溝（２０）と、浅広槽（１８）の片側上に設置されたコントロールボックス（１７）を備えている。このコントロールボックス（１７）には、ペット用水呑場（１５）、ペット用水呑場蛇口（１６）、足洗シャワー止水詮（２１）、足洗シャワー（１４）、浅広槽（１８）に４方向から水の流れを作る散水溝（２０）に一定期間、ペット用水呑場蛇口、足洗シャワー、散水溝に給水するための給水ボタン（１３）を備えている。給水ボタンは給水の閉め忘れやいたずらを防止するための、一定期間の給水を可能とするフラッシュバルブなどを備えている。また足洗シャワーは、使わないときは足洗シャワー止水詮を閉じている。【００１１】また、散水溝は図３のように貯水部分をもうけず、給水管（２５）にスリット（２９）を設ける事により均一な流れ（２２）を作ってもよい。【００１２】次に作用について説明する。【００１３】ペットを連れて散歩から帰ったとき、飼い主は給水ボタンを押し、散水溝から散水させる、また、給水ボタンを押したことによって、ペット用水呑場に水がたまるので、ペットに水を飲ませてやる。そののちペットが浅広槽に入ったとき、もう一度給水ボタンを押し、ペットの足部に水を散水させ、ペットの足を水に浸し、汚れを流水によって除去させる。そのとき、汚れがひどいときは、足洗シャワーを使ってもよい。【００１４】ペットの足の汚れが除去されたことを飼い主が確認したら、浅広槽からペットを出し帰宅する。
【発明の効果】
【００１５】以上説明してきたとおり、この発明によれば、全体に水が行き渡る切れ目のない川のような自然な水の流れを作ることが出来、ペットの足を洗う効率が上がる。また、４方向から満遍なく水が散水されることによって、大型犬の足を水に浸し洗うことが容易になる。そして、散水溝全面に、散水溝を備えているので、従来の一方向に設置された給水管から散水する方法に比べ、給水管の現場施工が必要なく容易に設置することが出来る。
【図面の簡単な説明】
【００１６】
【図１】このペット用足洗い場の実施例全体外略図である。
【図２】このペット用足洗い場の散水溝の詳細図である。
【図３】このペット用足洗い場の散水溝の詳細図である。
【図４】このペット用足洗い場の流水の状態を示す図である。
【図５】従来型ペット用足洗い場の流水の状態を示す図である。
【図１】
2005218420.tif 000003
【図２】
2005218420.tif 000004
【図３】
2005218420.tif 000005
【図４】
2005218420.tif 000006
【図５】
2005218420.tif 000007
(57)【要約】【課題】当該発明は、カリットした美味しいピーナッツ味噌を家庭で簡単に作れることを目指したものである。今迄の熟練と勘に頼っていた工程から素人でも出来る様に変革するものである。【解決手段】当該発明の主要材料を事前に処理して、Ａ，Ｂと分類し、その一方の調合味噌を電子レンジ又は遠赤外線調理器で加熱処理することにより、今迄の製造上の問題点を一拠に解決することが出来た。【選択図】  図４
2005218419.tif 000002
【特許請求の範囲】
【請求項１】
当該発明に於いて、ピーナッツ味噌の材料を２種類に分け事前に調理して常温で保存準備しておく。渋皮付きピーナッツを食油又はビタミンＡや、レシチン等の脂溶性機能性成分を配合した調合食油で、フライ又は炒めたピーナッツ（材料Ａ）である。普通の味噌に砂糖、水飴、オリゴ糖、調味料、香辛料、生薬類、ビタミン類、ミネラル類、機能性食品類の色々な組合わせを加えて、混合した調合味噌（材料Ｂ）である。
【請求項２】
上述「請求項１」の調合味噌（材料Ｂ）を電子レンジ又は遠赤外線調理器で加熱（品温約１０５℃〜１２０℃）し、ドロドロに溶解させながら調合味噌中の水分含有量を１０％以下にする。
【請求項３】
上述「請求項２」で出来た調合味噌（品温約１０５℃〜１２０℃）の中に「請求項１」で出来た材料Ａのピーナッツを投入しながら攪拌し、調合味噌をピーナッツにまぶす。
【発明の詳細な説明】
【技術分野】
【０００１】当該発明に於いて、渋皮付き生ピーナッツの調合食油を使った加熱工程と味噌、砂糖等を加熱、調合する際に、電子レンジや遠赤外線調理器を使って焦付もなく内部加熱する工程に関するものである。
【背景技術】
【０００２】従来のピーナッツ味噌の製造に於いては、渋皮付きピーナッツをフライパン、鍋等を使って食油で炒める様に加熱し、終った頃合を見計らって、味噌、砂糖、調味料を加え更に加熱し、飴状にからげて仕上げていた。【０００３】ピーナッツ味噌の特徴はピーナッツをカリットした食感に仕上ることである。この為に生ピーナッツの加熱程度の度合いと、味噌、砂糖等の飴状に仕上げるタイミングの難しさがあった。この絶妙なるタイミングが、ピーナッツ味噌の良し悪しを決定し、熟練と勘が左右する工程であった。
【発明の開示】
【発明が解決しようとする課題】
【０００４】当該発明の課題はピーナッツ味噌中のピーナッツを、完成後出来るだけ長くカリットした食感に持たせることである。【０００５】当該発明の生産工程に於ける課題はピーナッツそれ自体と、飴状にからめた味噌、砂糖等の混合体（以後調合味噌と言う）を如何に焦付かない様に加熱して行くかと言うことである。この工程が熟練と勘に頼っていたので、これを出来るだけ少なくして、均一な製品を如何にして出し続けるかと言う問題である。
【課題を解決するための手段】
【０００６】当該は発明に於いて、渋皮付き生ピーナッツを食油で加熱しながら含有水分を蒸散せしめるが、それは炒める様に培煎したり、フライとすることも可能である。しかし最も大事なことは加熱後、品温を常温に下げておくことである。この品温の降下によりピーナッツ内部の組織に硬化が起り、カリットした食感が保持される。（材料Ａと言う）【０００７】調合味噌を加熱する方法として、電子レンジや遠赤外線調理器を使用することによって、焦付かず且つ、内部より均質に加温することが出来る様になり、均等に水分の蒸散が可能となった。この結果として、ブツブツ沸騰した調合味噌の水分含有量は１０％以下となった。（材料Ｂと言う）【０００８】上述【０００７】の材料Ｂを調理器具から取り出し、すみやかに上述【０００６】の材料Ａを加え、良く攪拌して、ピーナッツに調合味噌をまぶし上げて完成である。
【発明の効果】
【０００９】調合味噌の加温と水分調整が焦付きがなく、上述の如く電子レンジや遠赤外線調理器で簡単に出来る様になったので、家庭でも簡単に美味しいカリットしたピーナッツ味噌が作られる様になった。【００１０】調合味噌の加熱方式が上述【０００９】の如く焦付きがなく出来る様になったので、更に水飴、調味料、香辛料、生薬類、ビタミン類、ミネラル類等を添加することが可能になった。
【発明を実施するための最良の形態】
【００１１】上述
【発明の効果】
の如く、素人でも家庭でピーナッツ味噌が簡単に作れる様になって来たので、当該発明の如く家庭用、ピーナッツ味噌手造りキットに応用することが最良の形態である。その為に、材料Ａのピーナッツ部と材料Ｂの調合味噌部を常温で事前に準備しておき、家庭の電子レンジ等で加熱、混合する方式をとる。つまり出来上りの最終製品として販売するのでなく、その為の前処理済み材料セットとして販売し、いつも出来たてのピーナッツ味噌を味わってもらう様にすることが出来た。
【実施例】
【００１２】当該発明の実施例を下記材料の組合せで表示する。１、渋皮付き生ピーナッツ                １００ｇ２、ビタミンＥ１％添加の調合食油            ５ｇ３、味噌                                  ５０ｇ４、砂糖                                  ４０ｇ５、オリゴ糖                              ２０ｇ６、大豆イソフラボン（イソフラボン４０％）  １ｇ【００１３】上述【００１２】の渋皮付き生ピーナッツ（１）を調合食油（２）で炒めておく。【００１４】上述【００１２】の味噌（３）、砂糖（４）、オリゴ糖（５）、大豆イソフラボン（６）を良くまぜてから広口の皿に入れ電子レンジ（出力５００Ｗ）で約７０秒加熱する。【００１５】上述【００１４】でブツブツ加熱された調合味噌（材料Ｂ）に上述【００１３】のピーナッツを入れ良く攪拌し、調合味噌をピーナッツに良くまぶした。かくしてピーナッツ味噌約１９０ｇが出来た。以上実施例の説明であるが、本発明はこれに限定するものでない。
【産業上の利用可能性】
【００１６】当該発明の活用例の一つとして、加熱済みピーナッツ（材料Ａ）と調合味噌（材料Ｂ）を事前に用意して、プリパック状で家庭用に、ピーナッツ味噌手造りキットとして、販売が可能である。
【図面の簡単な説明】
【００１７】
【図１】渋皮付き生ピーナッツを調合食油で炒める。
【図２】加熱処理された常温の渋皮付きピーナッツ（材料Ａ）
【図３】味噌、砂糖、その他の食品類を混合した調合味噌（材料Ｂ）
【図４】調合味噌（材料Ｂ）を電子レンジで加熱
【図５】加熱されドロドロに溶解した調合味噌にピーナッツ（材料Ａ）を投入し、混合する。
【図６】出来上がったピーナッツ味噌
【符号の説明】
【００１８】Ａ：加熱処理された常温の渋皮付きピーナッツＢ：調合味噌１．渋皮付き生ピーナッツ２．調合食油３．フライパン４．ガスレンジ５．電子レンジ６．加熱された調合味噌７．出来上ったピーナッツ味噌
【図１】
2005218419.tif 000003
【図２】
2005218419.tif 000004
【図３】
2005218419.tif 000005
【図４】
2005218419.tif 000006
【図５】
2005218419.tif 000007
【図６】
2005218419.tif 000008
(57)【要約】【課題】従来のカートリッジに詰めたソフトクリーム用のディスペンサーのクリームを押し出す方法は、カートリッジを固定させ、上からピストン棒のようなもので圧縮する方法だった。その場合は、下でコーンを手に持ってクリームを受けるには、クリームの流出にあわせて、手を下げながら盛り付けなければならず、形よく仕上げることが難しかった。【解決方法】それを、ディスペンサーのレバーを手前に引けば、カートリッジを置いている受皿が上昇するようにして、カートリッジをディスペンサーの上部に押しあて圧縮させ、クリームを流出させることにした。そのことにより、クリームの流出にあわせ、コーンを持つ手を下げる必要がなくなり、容易に形よく、盛り付けが出来るようにした。【選択図】  図１
2005218431.tif 000002
【特許請求の範囲】
【請求項１】
カートリッジに詰めたソフトクリームを、受皿の上に乗せ、レバーを手前に引けば、受皿が上昇し、カートリッジがディスペンサーの上部にあたり圧縮され、下で受けているコーンに盛り付けられるディスペンサー。
【発明の詳細な説明】
【発明の詳細な説明】
【技術分野】
【０００１】この発明は、ソフトクリームの詰まったカートリッジを乗せた受皿を上昇させ圧縮させる方法のため、コーンを持つ手を下げなくても容易にクリームを盛り付けることが出来るディスペンサーである。
【背景技術】
【０００２】従来の、カートリッジに詰めたソフトクリームの圧縮方法は、受皿に乗せたカートリッジを、上からピストン棒のようなもので押し出す方法だった。
【発明が解決しょうとする課題】
【０００３】従来の方法だと、クリームの流出にあわせ、コーンを持つ手を下げながら盛り付けなければならず、形よく仕上げることが難しかった。
【課題を解決するための手段】
【０００４】カートリッジを乗せた受皿を上昇させ、上部で圧縮させれば解決できる。
【発明を実施するための最良の形態】
【０００５】レバーを手前に引けば受皿が上がり、上部にあたり、圧縮出来るようにした。
【発明の効果】
【０００６】クリームの流出にあわせ、コーンを持つ手を下げる必要がなくなり、容易に形よく、盛り付けることが出来る。
【図面の簡単な説明】
【図１】本発明の正面図
【図２】本発明の右側面図
【符号の説明】
１は、ソフトクリームを詰めたカートリッジ  ２は、受皿  ３は、レバー
【図１】
2005218431.tif 000003
【図２】
2005218431.tif 000004
(57)【要約】      （修正有）【課題】捕獲を目的とした鳥類及び動物等が、容器天井部より侵入すると、逆止器によって入りやすく脱出ができない構造になっている。又容器は折畳み式になっており、少人数で簡単に組立ができる構造になっている。【解決手段】容器ネット（網）１は、縦枠９と横枠１０が支持柱となり一定の間隔で網目に通し、正方形又は長方形の容器となり、支持柱をネット網目に通す事によって、縦枠９、横枠１０の転倒防止又は支持柱の脱落防止になる。横枠接続具は簡単に取りはずしが可能で、図９のように折畳みができる。前面部２の片開きドア３は出入口となり、天井部に取付けされた逆止器１１は、開閉器具１３により２ツ折に畳む事ができる構造になっている。【選択図】図１
2005218432.tif 000002
【特許請求の範囲】
【請求項１】
本発明は有害な鳥類、動物等を捕獲する折畳みの可能な底の無い容器になっている、形状は長方形又は正方形の容器であって周囲側面はネット（網）で構成され外枠は金属又はプラスチック等で支持柱として補強されている、又ネット（網）で自由に開閉されて、前面部ドア３、背面部６、左右面４、５、と連結され天井には逆止器１１が取付けされた、折畳み式鳥獣類捕獲容器。
【発明の詳細な説明】
【発明の詳細な説明】
【０００１】  ［発明の属する技術分野］本発明の容器側面はネット（網）で構成され用途に応じて逆止器を取付けし必要に応じてネットの表面に金網を取付けする事も可能である。
【０００２】  ［従来の技術］従来の方法は固定型容器に逆止器が取付けされた物が多く使用されており、折畳み式にはなっていない。
【０００３】  ［発明が解決しようとする課題］底の無い捕獲器のため折畳み、組立が簡単に作業ができ、折り畳んだ時は最小のスペースになる。
【０００４】  ［課題を解決するための手段］この捕獲器は図１上面部７に逆止器１１を取付ける事によって主に鳥類の捕獲等に有効である、鳥が飛び上がった時上部逆止器の突起物１２により羽根があたり脱出できない構造になっている。
【０００５】中型、大型動物の捕獲には図１２、左面部４に逆止器１５を取付け、捕獲動物の大きさによって逆止器のサイズをきめる、又ネット破損の恐れがある場合はネット表面に金網１８を取付け補強する、その時上面天井部７と底面部８にも金網を取付け補強する。
【０００６】容器周囲のネット（網）１の表面に防水シートを取付ける事によってテントハウスとして使用可能ともなる、又はネット表面にビニールシートを張る事でビニールハウスとして使用できる。
【０００７】  ［発明の実施の形態］図１上面天井部７に逆止器１１を取付け前面部片開きドア３より出入口となる、又図５、２ツ折りとなり図６は４ツ折りに畳んだ状態となる、図７横枠用接続具１７を取りはずし横枠支持柱１０を取り除く事によって図８となり図９渦巻き状に折り畳んだ状態となる。
【０００８】  ［発明の効果］コンパクトに折り畳んであるため運搬等の設置作業も簡単に行う事ができる、又ネットの網に縦枠９と横枠１０が支持柱となり一定の間隔で網目に通し正方形又は長方形及び多角形の容器となり支持柱がネット網目に通す事によって縦枠、横枠の転倒防止又は支持柱の脱落防止になる。
【図面の簡単な説明】
【図１】容器上部に逆止器が取付けた時の斜視図
【図２】片開きドアが全開した時の斜視図
【図３】鳥類専用逆止器を側面から見た平面図
【図４】鳥類専用逆止器を上部より見た平面図
【図５】容器を２ツ折りに畳んだ時の斜視図
【図６】容器を４ツ折りに畳んだ時の斜視図
【図７】容器周囲のネット網目に縦、横枠支持柱が組み込んである平面図
【図８】容器周囲のネット網目より横枠支持柱が除外された時の平面図
【図９】渦巻き状に折り畳んだ時の斜視図
【図１０】横設置型逆止器の斜視図
【図１１】横設置型逆止器を側面から見た時の平面図
【図１２】容器左側面に設置された横型逆止器の斜視図［符号の説明］１      ネット（網）２      前面部３      前面部片開きドア４      左面部５      右面部６      背面部７      上面（天井部）８      底面部９      縦枠支持柱１０    横枠支持柱１１    逆止器（上面、天井部取付け鳥類専用）１２    同上逆止器の突起部１３    同上逆止器の開閉器具１４    同上逆止器の突起部取付け座１５    逆止器（左右面部横設置型、動物専用）１６    エル型継手１７    横枠支持柱用接続具１８    金網
【図１】
2005218432.tif 000003
【図２】
2005218432.tif 000004
【図３】
2005218432.tif 000005
【図４】
2005218432.tif 000006
【図５】
2005218432.tif 000007
【図６】
2005218432.tif 000008
【図７】
2005218432.tif 000009
【図８】
2005218432.tif 000010
【図９】
2005218432.tif 000011
【図１０】
2005218432.tif 000012
【図１１】
2005218432.tif 000013
【図１２】
2005218432.tif 000014
(57)【要約】【課題】  時間と場所を選び、非衛生的だった飲尿健康法を、いつでもどこでも衛生的に不快感も残らず実行できるようにする。【解決手段】  科学的に合成した尿素またはサメなど軟骨魚の肉等に多量にふくまれ採取できる天然の尿素で人工的に尿を作り、サプリメントや一般的な飲物に少量配合させた健康飲料にする。  尿素以外にもナトリウム、カリウム、クロール、ウロキナーゼ等各種ミネラル、各種ビタミン、ホルモン、酵素、微量金属を微量配合する。【選択図】  なし【特許請求の範囲】
【請求項１】
科学的に合成（原料：アンモニアと炭酸水）した尿素、またはサメなど軟骨魚の肉等に多量にふくまれ採取できる天然の尿素をいつでもどこでも安心して飲めるようなサプリメントにする。
【請求項２】
尿素以外にもナトリウム、カリウム、クロール、ウロキナーゼ等、各種ミネラル、各種ビタミン、ホルモン、酵素、微量金属を微量配合させる。
【請求項３】
それを一般的な飲物に少量（１．５〜２％）以下入れた健康飲料。
【発明の詳細な説明】
【技術分野】
【０００１】  本発明は、科学的に合成（原料：アンモニア、炭酸ガス）した尿素、あるいはサメなど軟骨動物に多く含まれ採取できる天然の尿素をサプリメントにし、飲尿健康法と同じ様な効果（皮膚病を緩和させるなど）を、衛生的かつ手軽にいつでも得る事ができるものである。
それに、ナトリウム、カリウム、クロール、ウロキナーゼ等、各種ミネラル、ビタミン、ホルモン、酵素、微量金属を微量配合させることにより、より尿に近い効果を得られる様にする。
また、普段飲んでいる飲物に尿素を尿と同程度（１．５〜２％）以下配合し、健康飲料などにも利用できる。
【背景技術】
【０００２】  従来の飲尿健康法は、自分の朝一番の尿を飲むという非衛生的なものである。
まず牛の尿でも代用がきくのに、自分の尿に限定している。
また、尿は時間をおくと雑菌がふえてしまい、飲むことが不可能なため飲む時間も場所も限られている。
一番の問題は、臭いもあり生温かい尿を飲むという行為そのもので、精神的にとても不快である。
このように、飲尿健康法は効果が期待できるのに実行できない人々が、多数存在している。
尿素は比較的簡単に合成したり、採取したりできる物質ではあるが、現在安心して飲める状態で販売しているのは医薬品の利尿剤や催眠剤のみである。
（例えば特許文献１及び非特許文献１．２．３．４参照）
【特許文献１】      特許公開番号２００２−３２０４４５
【非特許文献１】      宮松宏至著「もっと「自然塩」をとる健康法−減塩・精製塩は万病のもと！」はまの出版第７章
【非特許文献２．３．４】      インターネットアドレス  ｈｔｔｐ：／／ｗｗｗ２ｂｉｇｉｎ．ｏｒ．ｊｐ／ｙｔｏｋｏｊｉ／ａｙｕｒｖｅｄａ／ｄａｎｖａｎ２．ｈｔｍｌ  ｈｔｔｐ：／／ｗｗｗ．ｔｏｙｏ−ｅｎｇ．ｃｏ．ｊｐ／ｅｎｇｃａｆｅ／ｐｌａｎｔ  ｍａｐ／ｃｈｅｍｉｃａｌ／ｕｒｅａ，ｈｔｍ  ｈｔｔｐ：／／ｗｗｗ．ｊｓｔｈ．ｏｒｇ／０３ｉｎｄｉｃｅｓ／ｉｎｄｅｘ．ｐｈｐ？ｇｌ＝ｓｈｏｓｈｉｎ４３♯ｓｈｏｓｈｉｎ４３
【発明の開示】
【発明が解決しようとする課題】
【０００３】  従来の飲尿健康法は、自分の朝一番の尿を飲むという非衛生的ものなので衛生的にする。
尿は時間をおくと雑菌がふえてしまい、飲むことが不可能なため飲む時間も場所も限られていたが、雑菌がふえない状態にして、いつでもどこでも飲めるものにする。
そして、一番の問題である、臭い、生温かさ、尿を飲むという行為そのものの精神的な不快感をなくす。
【課題を解決するための手段】
【０００４】  本発明は、尿の主な成分である尿素を、人工的に合成したものあるいは人工的に採取したものをサプリメントにするため衛生的である。
他の成分も微量、配合すれば、より尿と同じ効果が得られる。
また、それは、時間をおいても雑菌がふえることもなく、いつでもどこでも飲むことができる。
そして、一番の問題であった、臭いもなく、生暖かくもないので、精神的な不快感も感じなくなる。
また、普段飲んでいる飲料に混ぜることによっておいしい健康飲料となる。
【発明効果】
【０００５】  不快感を抱きながら飲尿健康法を続けている人々もこれにきり変える事ができる。
そして、場所、時間を選ばなくなる。
また、飲尿健康法を実行できなかった人々が、安心して試すことかできる。
【発明を実施するための最良の形態】
【０００６】  尿素をサプリメントとしたり、健康飮料にすることにより、場所、時間を選ばず効果を得ることが可能になる。
(57)【要約】【目的】  血行促進用磁石粒又は元素体粒付き絆創膏の効率を高めた、全身の血行促進を可能とする回転可動型磁石粒又は元素体粒を備えた手持ちマッサージャを提供する。【構成】  回転円板１上に少数個の永久磁石粒２又は元素体粒２を周設し、回転円板１に固設した回転軸３を介して手持ち回転モーター４に接続する。【選択図】  図１
2005218819.tif 000002
【特許請求の範囲】
【請求項１】
円形基板に周設した１〜数個の永久磁石粒又は化学線放射粒を手持ち回転モーターで回転させることを特徴とする血行促進手持ちマッサージャ。
【発明の詳細な説明】
【発明の詳細な説明】
【産業状の利用分野】
【０００１】  この発明は、磁気または化学線を利用して血行を促進する健康器具に関する。
【背景技術】
【０００２】  磁石が発する磁力線や元素体（ゲルマニウム、インジウム、イリジウムなど）が発する化学線を利用して多くの血行促進健康器具が世に出ている。その１種類に磁石粒又は元素体粒の付いた絆創膏がある。人体上に絆創膏で固定された磁石粒及び元素体粒の効用は、磁力線又は化学線の作用により磁石粒や元素体粒近傍の血行が促進され、肩凝りなどが癒されるということである。
【発明が解決しようとする課題】
【０００３】  従来の磁石粒及び元素体粒付き絆創膏では、小表面積の粒子が皮膚上に固定されるので、作用を受ける身体上の面積が極めて小さく、従って迅速で大きい効果が得られないという欠点がある。
【課題を解決するための手段】
【０００４】  本発明は上記の欠点を除くためになされたもので、固定型磁石粒及び元素体粒に代わって、回転可動型粒体を以下のように構成した。
図１は回転可動型磁石粒及び元素体粒を示す。回転円板１上に１〜数個の磁石粒２又は元素体粒２を周設し、回転円板１を回転軸３を介して手持ち回転モーター４に接続する。こうすると、血行促進手持ちマッサージャが構成される。
【作用】
【０００５】  上記のように構成される本発明の手持ちマッサージャは次のように作動する。
図１の回転可動型粒体では、回転モーターは通常毎秒５０回転するので、使用した粒体個数の
［２π（回転円板の半径）ｘ２（粒体の半径）ｘ５０］／π（粒体の半径）２
＝４００ｘ（回転円板の半径）／（粒体の半径）倍個
の面積が血行促進作用を受けることになる。下記の実施例１では、この倍数は２０００倍となり、磁石付き絆創膏の磁石（直径５ｍｍ）１個を本発明の手持ちマッサージャに用いた場合には、磁石付き絆創膏２０００個を用いたのと同じ磁気作用が得られることになる。
【実施例】
【０００６】（実施例１）
市販の回転式電気シェーバー（回転板直径２．５ｃｍ、回転数毎秒５０回）の内刃を外し、回転板の内周辺に直径５ｍｍｘ厚み約２ｍｍの１３００ガウス磁石１〜６個を接着し、金網を外し、プラスチック製カバーを施して手持ちマッサージャを構成した。この際、上面に現れる磁極はどのような配列でも良い。この器具は把手が付いているので、全身の磁気マッサージに使用である。
【発明の効果】
【０００７】  従来の血行促進磁石粒又は元素体粒付き絆創膏では、粒体が固定されるため血行促進作用が局部的であるという欠点があった。
本発明による回転可動型磁石粒又は元素体粒を用いる手持ちマッサージャは、少数の粒体を使うので軽量で、実効粒体数が多いので効率が良く、把手が付いて手で移動できるので広範囲に血行促進作用を及ぼすことができ、上記の欠点を除去できる。
【図面の簡単な説明】
【図１】本発明による回転可動型手持ちマッサージャの部分側面図。
【符号の説明】
１  回転円板    ２  永久磁石粒又は元素体粒    ３  回転軸
４  回転モーター
【図１】
2005218819.tif 000003
(57)【要約】【課題】  従来は冷蔵庫で冷やした保冷剤入りの保冷器具を頭部に置くか頭部に巻き付けるものがあったが、直接では冷たすぎるとか、装着してもずれやすい、児では装着を嫌がるといった装着の不自由さがあったり、保冷器具の保冷力が低下したときに再度冷蔵庫で冷却させなければならなかった。【解決手段】  ヘアーバンド（１）に保冷剤（５）の脱着スペース（２）を取り付けたことを特徴とする。【選択図】  図１
2005218811.tif 000002
【特許請求の範囲】
【請求項１】
ヘアーバンドに保冷剤の収納スペースを付けた頭部冷却用ヘアーバンド。
【発明の詳細な説明】
【発明の詳細な説明】
この発明は伸縮性のあるヘアーバンドに保冷剤の脱着可能な収納スペースを付け、この収納スペースに保冷剤を入れ頭部を冷却する器具に関するものである。
従来の保冷剤を使用した頭部冷却器具には、保冷剤を後頭部の下に置くか、頭部に巻き付けるものがあるが、直接付けると冷たすぎるとか、ずれたりして装着が不便であるとか、保冷剤に冷却効果が低下したときには、再び冷蔵庫で冷却しなければならない、といったことが不便であった。
本発明は、その欠点を除くために考案されたものである。それを図面について説明すれば、ヘアーバンド（１）に保冷剤を入れるスペースを付け、ファスナー又はマジックテープで保冷剤が外に出ないようにしたものである。
本発明はこのような構造であるから、頭部にしっかりと装着でき、ヘアーバンドの生地のため直接保冷剤が頭部に接することがないので、冷たすぎることがないのである。また、収納スペースにガーゼで包んだ保冷剤をいれることにより温度調節も可能である。更には、冷却効果の低下した保冷剤を容易に交換できるものである。
【図面の簡単な説明】
【図１】  本発明の斜視図である。
【符号の説明】
１はヘアーバンド、２は保冷剤収納スペース、３はファスナー又はマジックテープ、４は保冷剤が移動しないように縫合、５は保冷剤。
【図１】
2005218811.tif 000003
(57)【要約】【課題】  靴紐のないマジックテープの靴等、多様な靴が存在するが、やはり一般に使用されている靴は紐のついた物が主流である。しかし、子供の靴・スポーツシューズ・作業靴どれをとっても紐が解けると非常に危険という難点があった。又、小学校低学年以下の子供にとって紐が解け、自分で結び直す事が困難である。本発明は、この課題を解消する為になされたものである。【解決手段】  靴紐の蝶々結びされている部分８に固定するゴム製ストッパー１を装着することによって、結び目が解けないようにした。また、紐を緩める等の際には開き口２を外す事により、容易に紐を解くことができるようにした。【選択図】    図４
2005218813.tif 000002
【特許請求の範囲】
【請求項１】
靴紐の蝶々結びされている部分に固定するストッパーをつけることによって、結び目が解けないようにした靴紐ストッパー。
【発明の詳細な説明】
【発明の詳細な説明】
【技術分野】
【０００１】本発明は、靴紐の蝶々結びされている部分の結び目が解けないように、結び目の部分に固定するストッパーを装着し、足を激しく動かしても靴紐が解けないようにしたものである。
【背景技術】
【０００２】従来は、靴紐の蝶々結びされている部分の結び目が解けないように、結び目の部分に固定するストッパーはなかった。
【発明が解決しようとする課題】
【０００３】靴紐のないマジックテープの靴等、多様な靴が存在するが、やはり一般に使用されている靴は紐のついた物が主流である。しかし、子供の靴・スポーツシューズ・作業靴どれをとっても紐が解けると非常に危険という難点があった。本発明は、この課題を解消するためになされたものである。
【課題を解決するための手段】
【０００４】靴紐の蝶々結びされている部分８に固定するゴム製ストッパー１を装着することによって、結び目が解けないようにした。また、紐を緩める等の際には開き口２を外す事により、容易に紐を解くことができるようにした。
【発明を実施するための最良の形態】
【０００５】以下、本発明の実施の形態について説明する。
（イ）．ゴムを加工し、本体を開閉出来るようにする。
（ロ）．紐が通る内部は靴紐ズレ防止凸凹部４５のように波状にし、紐が動かないようにする。
【発明の効果】
【０００６】靴紐の結び目が解けないよう、固定するストッパー使用する事によって靴紐は解けない。しかも、ストッパーはとめたり、外したりできるので、靴紐を調節する際も楽に出来る。
【図面の簡単な説明】
【０００７】
【図１】本発明の閉封時の斜視図である。
【図２】本発明の開封時の斜視図である。
【図３】本発明の使用状態を示す断面図である。
【図４】本発明の使用状態を示す斜視図である。
【符号の説明】
【０００８】１  ゴム製ストッパー本体
２  開き口
３  靴紐出し口
４  靴紐ズレ防止凸部
５  靴紐ズレ防止凹部
６  開閉口凸部
７  開閉口凹部
８  蝶々結びした靴紐
【図１】
2005218813.tif 000003
【図２】
2005218813.tif 000004
【図３】
2005218813.tif 000005
【図４】
2005218813.tif 000006
(57)【要約】【課題】一般人でも容易に効率よく頭部をマッサージできるヘアブラシを提供する。【解決手段】基台を軸にブリッセルを回転させることで、マッサージしたい箇所を、平均的な強度で、均等かつ平均的に刺激せしめることを特徴とする。【選択図】図２
2005218814.tif 000002
【特許請求の範囲】
【請求項１】
頭部の皮膚に対してブリッスルを回転させ、皮膚を刺激して血行を活発にし、ツボをマッサージすることで育毛を促進するとともに、回転ストッパーを操作して、すばやく頭髪を整えることが出来ることを特徴とする回転マッサージブラシ。
【発明の詳細な説明】
【発明の詳細な説明】
【発明が属する技術分野】
【０００１】  本発明は、ブリッスルを回転させながら、頭皮をマッサージ及び刺激することで育毛の促進をはかるとともに、回転ストッパーを移動することで、スムースに髪を整えることが出来るものである。
【背景技術】
【０００２】  頭髪の発毛促進においては、指でマッサージまたはブラシでたたく行為が一般的であり、刺激の強度や範囲が部分的で、効率的なマッサージとは言い難い面があった。
【発明が解決しようとする課題】
【０００３】  本発明は、ブリッセルを回転させることで平均的な強度を保ち、刺激する箇所を均等かつ細かくマッサージし、その作業を、容易で効率的に行う。
また、ストッパーを移動して回転を固定させ、乱れた髪をすばやく整えることが出来ることを目的とする。
【課題を解決するための手段】
【０００４】  前期目的を達成するために、本発明は、マッサージしたい箇所を、平均的かつ細かく刺激するために、ブリッスルを回転しながら移動するようになしたものである。
【発明を実施するための最良の形態】
【０００５】  別紙図面にて本発明の実施形態を説明する。
図１は、本発明の一形態の回転マッサージブラシの斜視図、図２は接続図であり、（ｃ）の基台に、（ｂ）の植毛部をかぶせ入れ、（ａ）のキャップを基台にはめ込み、植毛部が回転できるように接続せしめている。【０００６】  また、（ｄ）把持部と（ｂ）基台の境に装着した（ｅ）のストッパーを前後に移動することで、植毛部の回転又は固定を可能にする。【０００７】  成形材料には特に制限はなく、種々の可撓性材料、例えば、ポリエチレン、ポリプロビレン等のポリオレフィン系樹脂等の合成樹脂、ビニール樹脂、ナイロン、ポリアミド樹脂等の合成樹脂、合成ゴム、天然ゴム等を使用することができ、さらに基台や把持部の形成材料には、木、金属、紙等を使用しても良い。また、これらの成形材料には、必要に応じて帯電防止剤、殺菌剤、摩擦剤、顔料等を添加又は塗布することができる。
【図面の簡単な説明】
【０００８】
【図１】本発明の一形態の回転マッサージブラシの斜視図である。
【図２】本発明に係る接続図である。
【図３】基台の断面図である。
【図４】ブリッセルの側面図である。
【符号の説明】
【０００９】１        本発明の回転マッサージブラシ
２        本発明の回転マッサージブラシの接合図
２（ａ）  キャップ
２（ｂ）  植毛部
２（ｃ）  基台
２（ｄ）  把持部
２（ｅ）  ストッパー
Ｌａ      把持部の長さ
Ｌｂ      基台の長さ
Ｌｃ      植毛部の径
Ｌｄ      ブリッセルの長さ
【図１】
2005218814.tif 000003
【図２】
2005218814.tif 000004
【図３】
2005218814.tif 000005
【図４】
2005218814.tif 000006
(57)【要約】【課題】グリツプを握つた握力の感覚と実際の測定値の差を小さくするために、グリツプ握つ時点の握力測定が可能な訓練具をつくる。又、握力機能回復訓練で使用する場合は握力や訓練回数が手元で判るようにする。【解決手段】圧力センサー付グリツプとそのセンサーで検出した値を表示する表示計を一体化した握力測定具をつくり、軽量でコンパクトにして携帯できるようにすることで、時間や場所に捕らわれず訓練を繰り返すことができ、測定値に近くなるように握力感覚の記億強化をはかる。又、機能回復訓練では数値で表して効果を判りやすくする。【選択図】図１
2005218816.tif 000002
【特許請求の範囲】
【請求項１】
グリツプに圧力測定センサー及び回数カウントセンサーを備え、そのセンサーで検出した値を表示する表示計を備えた握力感覚及び機能回復訓練具
【請求項２】
グリツプと表示計を一体化して、コンパクトにすることで携帯できるようにした、請求項１の握力感覚及び機能回復訓練具
【発明の詳細な説明】
【技術分野】
【０００１】  本発明は、グリツプを握つて握力を測定して、その測定値と握力感覚を比較しながら握力感覚の記憶を強化して、測定値と感覚の差を小さくすることと、握力機能回復訓練を必要とする者が測定値を目視確認しつつ、訓練が出来る訓練具に関するものである。
【背景技術】
【０００２】  ゴルフのスイングで大切なポイントとして、身体や手足の動きとともに、グリツプの握り方や握つた力加減も大切な要素といわれている。その中で、グリツプを一番強く握つた時点を１０として、一番弱く握つた時点を１とすれば、５〜６の力で握つてスイングすることが最も良い力加減の握り方と言われている、又、怪我などで握力を喪失したり弱くなつた者は機能回復訓練として物を掴む行為を繰り返し行うことも大切な訓練方法である。【０００３】  スポーツの握力変化を捕らえる装置は、例えば、特開平１−２３０３８２号公報で示されるゴルフクラブのグリツプ測定装置がある。これはゴルフクラブのグリツプ内に圧電素子および圧電素子からの信号を外部に出力させる発信部と、発信部の無線信号を受信してスイングを教授する信号処理装置から構成されている。しかし、この方式では使用するクラブのグリツプ部に圧電素子と発信部を内蔵させ別に受信部が必要なことから、膨大な経費も必要であり、大型スポーツ店などに設置して準備されたクラブを用いて、スイング時の握力などをチエツクすることであれば実用に十分であつた。また、握力機能回復訓練でも力をつけるだけの訓練であれば市販されている訓練具でも可能である。【０００４】  しかし、グリツプを握つた握力感覚と実際に測定した値との差を小さくするためには、繰り返しの訓練が有効であるが、この測定装置は、測定結果の発信部と受信記録部が別々の物で構成されていて簡単に持ち運んで測定することのできない欠点がある。市販されている握力訓練具については、握力の測定が出来ないために機能回復訓練の効果を判断するには無理がある。【０００５】  グリツプの握力感覚を強化するためには、この測定できる場所が限定されることは繰り返し訓練を行うことができず障害であるし、機能回復訓練の効果を目に見えるかたちで確認出来ないことは計画的に訓練を継続させるための障害となる。
【特許文献１】特開平１−２３０３８２号公報
【特許文献２】特開平７−５１２５５号公報
【発明の開示】
【発明が解決しようとする課題】
【０００６】  グリツプ握力の感覚訓練が、いつでも、どこでも、行うことが出来るようにする。握力機能回復訓練で使用する場合、訓練の結果を判りやすくする。
【課題を解決すろための手段】
【０００７】  本発明は、グリツプ握力をいつでも測定できて、その値をすぐ確認できるようにするために、グリツプ握力を測定できる訓練具のグリツプと表示計を一体化して軽量コンパクトにすることで携帯を可能にすることを最も主要な特徴とする。
【発明の効果】
【０００８】  本発明は、グリツプ握力訓練具の握力検出部と表示部を一体化してコンパクトにしたことで携帯が可能となり、場所や時間に捕らわれることなく、いつでも、どこでも、グリツプ感覚機能を養う訓練ができ握力感覚の記憶強化を図れる利点がある。
【０００９】  練習場などにも持参して、練習途中で感覚と測定値の差をチエツクすることに役立つ。また、野球のバツテングでも力んで握つていないかなどの確認ができる。
【００１０】  握力機能回復訓練に使用する場合は、握力が測定値として目視確認できることから結果がわかりやすい、又、回数計による実施回数のカウントも出来ることから計画的な訓練も可能となる。
【発明を実施するための最良の形態】
【００１１】  繰り返し訓練して握力感覚の記憶を強化することで、測定値と感覚の差を小さくすると言う目的を、グリツプと表示計を一体化してコンパクトにしたことで携帯できるよになり実現した。又、回数もカウント出来ることから機能回復訓練でも便利になつた。
【実施例１】
【００１２】  図１は、本発明訓練具の１実施例の断面図であつて、１〜４は図２と同様である。又、５は圧力測定センサー、６は回数カウントセンサー、７は電源、８は止めボルト、９はスプリング、１０はグリツプカバーである。【００１３】  ４のグリツプを握ることで、５の圧力センサーがその値を検出して２の握力表示計へ送る、２の表示計はその値を表示するもので、始めに４のグリツプを最も強い力で握り２の表示計の値を確認する、その値を１０として次に自分が目標とする例えば５〜６の値までグリツプの力を緩める。その時点の力加減を感覚として記憶する。【００１４】  目標とする値が決まれば、表示計の値を見ながら握力を調整して感覚と測定値の差を小さくする訓練を繰り返して行うことで、表示計の値を見なくても測定値に近い感覚で握れるようになる効果がある。【００１５】  機能回復訓練で使用する場合は、４のグリツプを握つた回数を６のセンサーが数えてその回数を３の回数カウント表示計に表示する、その数値で訓練の回数が確認できる、又、握力計の値を確認することで訓練効果の有無を判断して以後の訓練に活かせる利点がある
【産業上の利用可能性】
【００１６】  この訓練具をゴルフ場に持参してスタトー前に目標としている握力を測定値で確認することで、プロゴルフアーでも力むことなくスイングすることに役立つ。又、機能回復訓練として使用する場合は老人ホームや家庭での握力訓練用に適用できる。
【図面の簡単な説明】
【００１７】
【図１】グリツプ握力訓練具の断面図である。
【図２】グリツプ握力訓練具の上視図である。
【符号の説明】
【００１８】  １  本体
２  握力表示計
３  回数カウント表示計
４  グリツプ
５  握力検出圧力センサー
６  回数カウントセンサー
７  電源
８  止めボルト
９  スプリング
１０  グリツプカバー
【図１】
2005218816.tif 000003
【図２】
2005218816.tif 000004
(57)【要約】【課題】  敷布の本体の上面側、下面側の上端部、下端部に複数個の収容袋を設け、寝具を収容して寝具と敷布を一セットとし、さらに枕等、物等、足等を収容することによって取扱い易い健康保持できるようにした敷布を提供する。【解決手段】  本体Ａの上面側１、下面側２の上端部３、下端部４に複数個の収容袋５を設けたことを特徴とする。【選択図】      図１
2005218812.tif 000002
【特許請求の範囲】
【請求項１】
（イ）敷布の本体の上面側の上端部、下端部に複数個の収容袋を設ける。
（ロ）該本体の下面側の上端部、下端部に複数個の収容袋を設ける。
上記のように構成したことを特徴とする敷布。
【発明の詳細な説明】
【技術分野】
【０００１】  本発明は寝具にかける敷布に関するものである。
【背景技術】
【０００２】  従来の敷布は袋状体、面状体、凸凹体等多種にわたり数多く提供されている。
【発明が解決しようとする課題】
【０００３】  しかし、これらの敷布には次のような欠点があった。
ａ．寝具と一セットとして使用するとき、位置がずれて片寄ったり、捲れたり、取り扱いに不便であった。
ｂ．就寝中に枕等が動いたりして不安定であった。
ｃ．物等を収容する部分がなくて不便であった。
ｄ．寝具にセットされても足等が寝具からはみ出し冷やして健康保持に良くないことを防止できなかった。
本発明は本体の上面側の上端部、下端部に複数個の収容袋を設け、下面側の上端部、下端部に複数個の収容袋を設けて寝具と一セットにすることによって枕等、物等、足等を収容することができ、取り扱いが便利で健康保持のできる敷布を提供することを目的とする。
【課題を解決するための手段】
【０００４】  上記目的を達成するため本発明は本体Ａの上面側１の上端部３、下端部４に複数個の収容袋５を設け、下面側２の上端部３、下端部４に複数個の収容袋５を設けたものである。
【発明の効果】
【０００５】ａ．寝具と敷布が一セットになり取り扱いが便利である。
ｂ．枕等は収容袋に収容されるので安定して使用できる。
ｃ．物等を収容袋に収容できるので便利である。
ｄ．寝具と一セットになった収容袋に足等を収容するので健康保持ができる。
【発明を実施するための最良の形態】
【０００６】  上記のように構成された本発明を実際に使用される場合は次のようになる。図３に示したように本体Ａの下面側２の上端部３に設けた収容袋５を開口し、該下面側２の下端部４を開口して寝具６を収容して一セットとして上面側１の上端部３、下端部４に設けた収容袋５に枕等７、物等８、足等９を収容することによって取り扱いが便利で健康保持ができるものとなる。
【実施例】
【０００７】  以下本発明の実施例を図面に基づいて説明する。
図１は本発明の斜視図、図２は正面図、図３は本発明の使用状態を示した図で、図中符号Ａは本体、１は上面側、２は下面側、３は上端部、４は下端部、５は収容袋、６は寝具、７は枕等、８は物等、９は足等。【０００８】  本体は寝具にかけられるものであれば形状については限定しない。【０００９】  本体の横位置部に帯、紐等を設けることもできる。【００１０】  収容袋は寝具が収容でき、且つ枕等、物等、足等が収容できるものであれば同一、異なった規格であっても、設置場所も特に限定しない。【００１１】  収容袋に付着材、開閉材、磁性材、等を装着自在に設けることも特に限定はしない。【００１２】  収容袋に覆い布等を設けることもできる。さらに紐等を介して袋体等を設けられることも特に限定しない。【００１３】  上面側、下面側の位置、上端部、下端部の場所については特に限定はしない。【００１４】  尚、本発明は以上の実施例に限ることなく、本発明の技術思想に基づいて種々の設計変更が可能である。
【図面の簡単な説明】
【００１５】
【図１】  本発明の斜視図である。
【図２】  本発明の正面図である。
【図３】  本発明の使用状態を示した図である。
【符号の説明】
【００１６】Ａ  本体
１  上面側
２  下面側
３  上端部
４  下端部
５  収容袋
６  寝具
７  枕等
８  物等
９  足等
【図１】
2005218812.tif 000003
【図２】
2005218812.tif 000004
【図３】
2005218812.tif 000005
(57)【要約】【課題】本発明は、感冒予防、悪臭対策、花粉症対策などに有効な健康補助用竹炭パットに関するものである。竹炭がこの用途に適していることはよく知られているが、効力の点で不充分であった。本法は、高電導性の竹炭ブロック小片を、２価３価鉄塩ベースのパイウォーター源水で処理した、π化竹炭ブロックを使用することにより、より効果的な健康補助用竹炭パットを提供する。【手段】通気性のある不織布樹脂シートを袋体（１）材料として使い、シート内面にπ化竹炭ブロック小片（２）を加熱接着により固着し、縁部４辺をシールして一体化した、竹炭パット【選択図】  図１
2005218815.tif 000002
【特許請求の範囲】
【請求項１】
π化竹炭ブロック小片（２）を入れ固定する袋体（１）が通気性があり熱融着可能な接着層を有す不織布からなり、袋体の内面にπ化竹炭ブロック小片が複数個固定された竹炭パッド
【請求項２】
π化竹炭ブロック小片の竹炭が導電性で電気抵抗値で３０Ω／ｃｍ以下である竹炭パッド
【請求項３】
π化竹炭ブロック小片が略四角形で、一辺長さが４ｃｍから０．５ｃｍである竹炭パッド
【発明の詳細な説明】
【発明の詳細な説明】
【技術分野】
【０００１】  この発明は、人体に有効な遠赤外線、マイナスイオンを放出する高電導の竹炭を使用して、この作用効果により感冒、花粉症など、疾病予防のための保護具に関するものである。
【背景技術】
【０００２】  従来より、竹炭の作用効果の遠赤外線放出、有害物質の吸着、除菌など生かした竹炭パットは知られている。しかし、いかに有効な竹炭を選定して使用するかである。
近年マイナスイオン発生メカニズムが解明されつつあり、これによれば、高電導竹炭から発する遠赤外線の特定波長により、クラスターの小さい水分子が共振し、マイナスイオン化される。市販の多くの竹炭は電導性に乏しいもので、充分な遠赤外線の放出は期待できないことが判明した。（特許文献１参照）。竹炭を用途によって明確に規定する必要がある。【０００３】
【特許文献】      登録実用新案第３０４１６２４号
【発明が解決しようとする課題】
【０００４】  竹炭をパットとして利用する場合、次のような問題があった。効能持続性が不十分であり、使い捨てイメージの強いものであった。また、効能も市販の電導性の悪い竹炭を使った場合除菌効果はほとんど期待できない。さらに、竹炭細粒を袋詰めする作業は粉塵浮遊で劣悪環境である。また、袋の材質の選定が悪いと、粉炭が漏れることがあり、パットとして使用上、機能上問題が考えられる。本発明は、以上の問題点を解決し、効能持続性の高い竹炭パットを提供するものである。
【課題を解決する手段】
【０００５】竹炭を入れる袋体（１）に使用する樹脂シートは、通気性の不織布で加熱接着層をコーティングされたものであって、この樹脂シート上にパイ化竹炭ブロック小片（２）が複数枚接着固定された後、同一の樹脂シートにより竹炭ブロックが包み込まれ、樹脂シート縁部四辺をシール接着し一体化した構成よりなる。
竹炭ブロックは高電導のものであって、電気抵抗値で少なくとも３０Ω／ｃｍ以下のものを使用する。このレベルの竹炭は遠赤外線放出量が高く有効であることを確認した。さらに、この竹炭ブロックを２価３価鉄塩からなるパイウォーター源水で処理し、パイ化竹炭ブロックとした。
パイ化竹炭ブロックは高電導竹炭の持つ有効な特性に加え、高度な除菌作用、脱臭作用のあることも確認した。
本発明は、パイ化竹炭ブロックを通気性のある不織布樹脂シートで包み込み一体化した竹炭パットである。
【発明を実施するための最良の形態】
【０００６】  以下、本発明の実施の形態を説明する。
（イ）ポエチレン接着層がコーティングされた、通気性の不織布ポリエステル系シート（１）、サイズ６×８ｃｍ上に、竹炭の電気抵抗値３．５Ω／ｃｍをあらかじめ１００℃から１２０℃に加熱したπ化竹炭ブロック（２）、サイズ１．０ｃｍ角をバランスよく６枚均等に載せ加圧接着し、片面をポリエステルシートに固着させる。
（ロ）同サイズのポリエステルシートをパイ化竹炭ブロックを固着したポリエステルシート上に重ね合わせ四辺縁部をシーラーで接着し一体化する。
パイ化竹炭ブロックはポリエステルシートの両面に接着させてもよいが、片面でも接着強度が高く、片面接着で充分である。
パイ化竹炭ブロック片面固着したシートを造りだめし、次工程で同サイズのシートを重ね合わせ、シーラーで一体化することができ、工業的に有利な方法が採れる。
【発明の効果】
【０００７】パイ化高電導竹炭ブロックを使用することにより、有効な遠赤外線を効率よく発生し、その結果マイナスイオン発生を促す。感冒予防、悪臭対策、花粉症対策、除菌効果は従来品に比べ一段と良好な健康補助具を提供できる。
また、数回使うと、天日干しで復活でき使い捨てとならないメリットがある。
更に、竹炭細粒を使わないことから、工業的に製造する上で作業環境を悪くせず有利である。
なお、本発明において高電導竹炭ブロック同士を空間をあけずに接着固着させることにより電磁波吸収パネルとしても使用できる。
【図面の簡単な説明】
【図１】    本発明の正面図
【図２】    本発明の断面図
【符号の説明】
（１）袋体、樹脂シート（２）高電導π化竹炭ブロック
（３）縁部シール
【図１】
2005218815.tif 000003
【図２】
2005218815.tif 000004